(57)【要約】【課題】スムーズに前進歩行することができる安定性および安全性に優れたステッキを提供することである。【解決手段】グリップ部２を上側に有する支柱部１の下部前側に左右一対の前側脚部５と、下部後側に左右一対の後側脚部５とを設ける。支柱部１の下端に前側方に張り出すローラアーム７を設け、そのローラアーム７の先端部に、上記四本の脚部５が接地する状態で接地面との間に間隙が形成される回転可能なローラ９を設ける。四本の脚部５が接地する支柱部１の起立状態で一歩前進し、二歩目の前進歩行の際に支柱部１が自然に前倒しされることによりローラ９を接地させ、そのローラ９の回転によりステッキを前進移動させるようにして、ステッキの持ち上げを不要とする。【選択図】図１
0003168189.tif 000002
【実用新案登録請求の範囲】
【請求項１】
グリップ部を上側に有する支柱部の下部に、その支柱部の周囲に張り出す少なくとも三本以上の脚部と、前側方に張り出すローラアームとを設け、前記ローラアームの先端部に、前記複数の脚部のそれぞれが接地する前記支柱部の起立状態で接地面との間に間隙が形成され、前記支柱部が前倒しされる傾斜状態で外周下部が接地状態とされる回転可能なローラを設けたステッキ。
【請求項２】
前記複数の脚部が、前記支柱部の前側において左右方向に間隔をおいて配置された二本の前側脚部と後側において左右方向に間隔をおいて配置された二本の後側脚部の合計四本の脚部からなる請求項１に記載のステッキ。
【請求項３】
平面円弧状の軸材の両端部を同方向に屈曲して一対の脚部を設け、その軸材の二本を、両端部が前後方向に向くようにして前記支柱部の下端に連結して、前記四本の脚部を設けた請求項２に記載のステッキ。
【考案の詳細な説明】
【技術分野】
【０００１】
この考案は、歩行を補助するステッキに関する。
【背景技術】
【０００２】
一般に、老人や足腰の弱い人、あるいは、身体に障害を持つ人たちにおいては、ステッキを持って歩行する場合が多い。歩行の補助となる上記ステッキとして、グリップ部を上側に有する支柱部の下端部に石突きを設けた一点支持タイプものや、上記支柱部の下端部に四本の脚部を設けた四点支持タイプのものが従来から知られている。
【０００３】
上記一点支持タイプのステッキにおいては、軽量であって持ち運びに便利であり、また、操作性に優れているという特徴を有するものの、支柱部の安定性に劣り、歩行バランスの崩れによって転倒する危険がある。
【０００４】
一方、四点支持タイプのステッキにおいては、安定性および安全性に優れているという特徴を有するが、重量が重く、前進歩行の際には持ち上げて前側方に運び込んで、四本の脚部のそれぞれを設置させる必要があるため、操作性に劣り、歩行が困難であるという問題がある。
【０００５】
ここで、例えば、特許文献１に記載されているように、上記四点支持タイプのステッキにおける前側二本の脚部のそれぞれに代えてローラを設けることにより、そのローラの接地面に対する接触回転によってステッキを前側方に容易に移動させることができるので、前側歩行の際にステッキを持ち上げる必要がなくなり、四点支持タイプステッキの上記の問題点を解決することができる。
【先行技術文献】
【特許文献】
【０００６】
【特許文献１】特開平９−１５４９０２号公報
【考案の概要】
【考案が解決しようとする課題】
【０００７】
ところで、上記特許文献１に記載されたステッキにおいては、上記のように、歩行の容易化を図ることができるものの、支柱部を起立状態で保持する四点支持状態において、前側二点の支持が前側二つのローラの接地によるものであるため、前進歩行の途中の状態で支柱部が少しでも前倒しの傾斜状態になると後側二本の脚部が接地面から浮き上がり、前側二つのローラのみが接地する状態となって、そのローラの接地部に体重が預けられることになり、安定性にやや欠けることになり、改善すべき点が残されている。
【０００８】
この考案の課題は、スムーズに前進歩行することができる安定性および安全性に優れたステッキを提供することである。
【課題を解決するための手段】
【０００９】
上記の課題を解決するため、この考案においては、グリップ部を上側に有する支柱部の下部に、その支柱部の周囲に張り出す少なくとも三本以上の脚部と、前側方に張り出すローラアームとを設け、前記ローラアームの先端部に、前記複数の脚部のそれぞれが接地する前記支柱部の起立状態で接地面との間に間隙が形成され、前記支柱部が前倒しされる傾斜状態で外周下部が接地状態とされる回転可能なローラを設けた構成を採用したのである。
【００１０】
上記の構成からなるステッキにおいて、身体の前側方にステッキを移動させた状態で、そのステッキに近接する側の一方の足を前側に踏み出す前側歩行の際、複数の脚部が接地し、その接地状態でローラは接地面から遊離しているため、支柱部は複数の脚部でのみ支持されることになってきわめて安定する。その安定状態の支柱部でもって身体が支えられるので、安定よく前進歩行することができる。
【００１１】
そして、後行側の足を前側に踏み出すと、その踏み出し初期の段階でステッキが前倒しの傾斜状態となってローラが接地し、複数の脚部は浮き上がり、ステッキを持つ手の前側方への振りによりローラが接地面との接触により回転して、ステッキが前側に運び込まれることになる。このため、ステッキを持ち上げて前側歩行する必要がなくなり、スムーズに前進歩行することができる。
【００１２】
この考案に係るステッキにおいて、脚部を、支柱部の前側において左右方向に間隔をおいて配置された二本の前側脚部と後側において左右方向に間隔をおいて配置された二本の後側脚部の合計四本とすることによって支柱部に安定した起立状態を得ることができる。
【００１３】
この場合、平面円弧状の軸材の両端部を同方向に屈曲して一対の脚部を設け、その軸材の二本を、両端部が前後方向に向くようにして前記支柱部の下端に連結することによって四点支持タイプのステッキを得ることができ、四本の脚部を支柱部の下端部に個別に連結する場合に比較して、コストの安いステッキを得ることができる。
【考案の効果】
【００１４】
上記のように、この考案においては、ステッキを前側方に移動させた状態での前側歩行の際には、支柱部が複数の脚部で支持されて安定し、その安定した状態の支柱部に体重を預けることができるので安定よく安全に歩行することができる。
【００１５】
また、後行側の足を前側に踏み出すと、ステッキが前倒しの傾斜状態となってローラが接地し、同時に複数の脚部が浮き上がり、ステッキを持つ手の前側方への振りによりローラが回転してステッキが前側方に移動させることになるため、ステッキを持ち上げて前側歩行する必要がなくなり、スムーズに前進歩行することができる。
【図面の簡単な説明】
【００１６】
【図１】この考案に係るステッキの実施の形態を示す正面図
【図２】図１の底面図
【図３】ステッキの傾動初期の状態を示す正面図
【図４】ステッキが完全に傾動された状態を示す正面図
【図５】この考案に係るステッキの他の実施の形態を示す底面図
【考案を実施するための形態】
【００１７】
以下、この考案の実施の形態を図面に基づいて説明する。図１および図２に示すように、支柱部１は、パイプからなる。この支柱部１の上部はＵ字形に屈曲されてグリップ部２が設けられ、下端部には板状の台座３が溶接による手段を介して固着されている。
【００１８】
台座３の下面には、平面形状を円弧状とする一対の軸材４が固着されている。一対の軸材４は、その大径曲面部が内対向する配置とされて前端部が斜め前側方に向くと共に、後端部は斜め後側方に向く取付けとされており、その軸材４の前後端部は下向きに屈曲されて合計四本の脚部５が設けられ、その脚部５のそれぞれにキャップ６が嵌着されている。
【００１９】
また、台座３の下面中央部には、ローラアーム７の一端部が固定されている。ローラアーム７は台座３の前側方に張り出し、その先端部には下向きの屈曲部７ａが形成されている。屈曲部７ａの先端部は二股とされ、その二股片７ａによって両端部が支持されたローラ軸８を中心にしてローラ９が回転自在に支持されている。
【００２０】
ローラ９は、四本の脚部５のそれぞれが接地する支柱部１の起立状態で接地面Ｇとの間に間隙が形成され、上記支柱部１が、図３に示すように、前倒しされる傾斜状態で外周下部が接地するようになっている。
【００２１】
実施の形態で示すステッキは上記の構造からなり、身体の前側方にステッキを移動させた状態で、そのステッキに近接する側の一方の足を前側に踏み出す前側歩行の際、図１に示すように、ステッキは、四本の脚部５のそれぞれが接地する状態とされる。その接地状態でローラ９は接地面から遊離する状態に保持されるため、支柱部１は四本の脚部５でのみ支持されることになってきわめて安定し、その安定状態の支柱部でもって身体が支えられるので、安定よく前進歩行することができる。
【００２２】
そして、片足を一歩踏み出した後、後行側の足を前側に踏み出すと、その踏み出し初期の段階でステッキが前倒しの傾斜状態となり、その傾斜初期の段階で、図３に示すように、ローラ９が接地し、さらに支柱部１が倒れることにより、図４に示すように、複数の脚部５が浮き上がり、ステッキを持つ手の前側方への振りによりローラ９が接地面Ｇとの接触により回転して、ステッキが前側に運び込まれることになる。このため、ステッキを持ち上げて前側歩行する必要がなくなり、スムーズに前進歩行することができることになる。
【００２３】
このように、ステッキを前側方に移動させた状態での前側歩行の際には、支柱部１が四本の脚部５で支持されて安定し、その安定した状態の支柱部１に体重を預けることができるので安定よく安全に歩行することができ、しかも、ステッキを持ち上げて前側歩行する必要がないため、スムーズに前進歩行することができる。
【００２４】
実施の形態では、脚部５の本数を四本としたが、脚部５の本数は四本に限定されない。少なくとも三本以上あればよい。
【００２５】
図５は、この考案に係るステッキの他の実施の形態を示す。この実施の形態では、台座３の前面にコの字形のローラ支持枠１０を取付け、そのローラ支持枠１０の対向一対のアーム１０ａの先端部間にローラ９を組み込んで回転自在に支持している。
【００２６】
上記のように、一対のアーム１０ａ間にローラ９を組込むことによって、図２に示す場合に比較して長さの長いローラ９を採用することができるため、ステッキを安定よく前側方に転がり移動させることができる。
【００２７】
なお、図２に示すローラ軸８の両端部をローラアーム７の両側方に突出させ、そのローラ軸８の両端部のそれぞれでローラ９を回転自在に支持して、長さの長いローラ９を採用できるようにして、ステッキの安定化を図るようにしてもよい。
【符号の説明】
【００２８】
１    支柱部
２    グリップ部
５    脚部
７    ローラアーム
９    ローラ
【図１】
0003168189.tif 000003
【図２】
0003168189.tif 000004
【図３】
0003168189.tif 000005
【図４】
0003168189.tif 000006
【図５】
0003168189.tif 000007